(57)【要約】      （修正有）【課題】パネルを目地部で切断した場合に余ったパネルを再利用できると共に、樹脂製収まり調整部材の使用面積を極力少なくすることができ、もって、美感の向上に寄与できると共に廃材の量削減に貢献することのできる床部材を提供する。【解決手段】目地部を境界として区切られた二以上のパターンを有するパネル２０からなりパネル２０が連結部材３１を介して連結されることにより構成される床部材であって、パネル２０を構成しかつ表面に材質が異なる表面材料を有する方形状の射出成形樹脂製ベース部材の端辺部２５’に沿って所定間隔を開けて脚部２６が形成され、連結部材３１には脚部２６に嵌合する嵌合筒が形成され、目地部にはこの目地部に沿って連結部材３１に嵌合可能でかつその形状及び配置間隔がパネル２０の端辺部２５に設けられた脚部２６の形状及び配置と略同一である脚部２９が形成されている。【選択図】図１４
2006028752.tif 000002
【特許請求の範囲】
【請求項１】
目地部を境界として区切られた二以上のパターンを有するパネルからなり該パネルが連
結部材を介して連結されることにより構成される床部材であって、前記パネルを構成する
方形状の射出成形樹脂製部材の端辺部又は前記パネルを構成しかつ表面に材質が異なる表
面材料を有する方形状の射出成形樹脂製ベース部材の端辺部に沿って所定間隔を開けて脚
部が形成され、前記連結部材には前記脚部に嵌合する嵌合筒が形成され、前記目地部には
この目地部に沿って前記連結部材に嵌合可能でかつその形状及び配置間隔が前記パネルの
端辺部に設けられた脚部の形状及び配置と略同一である脚部が形成されていることを特徴
とする床部材。
【請求項２】
前記射出成形樹脂製部材又は射出成形樹脂製ベース部材には前記脚部が形成された端辺
部と異なる端辺部に沿って前記脚部と嵌合可能な嵌合筒が形成されていることを特徴とす
る請求項１に記載の床部材。
【請求項３】
目地部を境界として区切られた二以上のパターンを有するパネルを連結することにより
構成される床部材であって、前記パネルを構成する方形状の射出成形樹脂製部材の端辺部
又は前記パネルを構成しかつ表面に材質が異なる表面材料を有する方形状の射出成形樹脂
製ベース部材の端辺部に沿って所定間隔を開けて脚部が形成され、しかも前記目地部には
前記連結部材に嵌合可能でその形状及び配置間隔が前記パネルの端辺部に沿って設けられ
た脚部の形状及び配置と略同一である床部材に使用される連結部材であって、前記脚部に
嵌合する嵌合筒を有し、該嵌合筒はその穴が前記パネルが隣り合う方向に遊びを有する大
きさとされていることを特徴とする連結部材。
【請求項４】
前記パネルを構成する樹脂材料の弾性率よりも高い弾性率を有する材料から構成されて
いる請求項３に記載の連結部材。
【請求項５】
請求項３に記載の射出成形樹脂製ベース部材とは異なる材質を表面部材として用いた樹
脂製調整部材のパターンの一部を切り欠き、切り欠かれた樹脂製調整部材を請求項３に記
載の連結部材を用いて前記射出成形樹脂製ベース部材に連結可能としたことを特徴とする
床部材の敷設構造。
【発明の詳細な説明】
【技術分野】
【０００１】
本発明は、床部材、連結部材及びその床部材の敷設構造の改良に関する。
【背景技術】
【０００２】
従来から、バルコニー等の床部材として、例えば格子状の射出成形樹脂製部材によりパ
ネル（タイルともいう）を構成し、射出成形樹脂製ベース部材の端辺部若しくは格子点部
に脚部を形成し、連結部材の嵌合筒をパネルの端辺部同士の脚部又は切断した場合に端辺
部に露出する脚部に嵌合させて、パネル同士を連結する構成のものが知られている（例え
ば、特許文献１参照。）。
【特許文献１】登録実用新案第２０６３００９号
【発明の開示】
【発明が解決しようとする課題】
【０００３】
ところで、その特許文献等１に開示の床部材では、図１に示すように、射出成形樹脂製
部材１の格子点部に脚部３を形成し、切断した場合に端辺部２となる部分に露出する脚部
３同士を嵌合筒４を有する方形状の連結部材５を用いて連結する構成であり、切断の仕方
によって、図１、図２に示すように、端辺部同士の間に隙間６ができて、パネルの格子状
のパターンがくずれて見栄えを損なうという問題点がある。
【０００４】
また、パネルの切断の仕方によっては、図３に示すように、切断した場合に端辺部２と
なる部分が互いに干渉することがあり、パネルの連結に支障が生じることがある。
【０００５】
更に、脚部３と嵌合筒４との間に遊びがないため、パネルが熱により膨張したり収縮し
ている場合には、連結部材５を用いて連結できない不都合もある。
【０００６】
このものでは、端辺部２に存在する脚部以外の格子点部に存在する脚部には射出成形に
より係合突起を形成するのが困難であるので、切断した場合に端辺部となる部分に露呈す
る脚部３と嵌合筒４との嵌合力を高めることができず、パネルの連結力の向上を図り難い
という不都合もある。
【０００７】
一方、図４に示すように、目地部７を境界として区切られた二以上のパターンを有する
パネル８を連結することにより構成される床部材も知られている。このパネル８は例えば
表面に材質が異なる表面材料９を有し、その裏面に図５に示すように格子状の射出成形樹
脂製ベース部材１０が設けられ、その端辺部１１に沿って所定間隔を開けて脚部１２が形
成されている。
【０００８】
バルコニーのフロア等では敷設スペースが限られているため、余分な部分を切断しなけ
ればならず、パネル８の一部の切断を余儀なくされるが、図５に示すように、目地部７に
沿って切断すると、目地部７に沿って脚部１２が設けられていないため、樹脂製収まり調
整部材と連結できず、１パネルごと交換して樹脂製収まり調整部材に交換している。この
ため、敷設スペースの隅や端の部分では樹脂製収まり調整部材の面積が大きくなる場合が
あり、美感の面で不都合が生じる。
【０００９】
更に、パネルの連結の際に手間のかからないようにすることが望ましい。
【００１０】
なお、その図４に示すパネル８は、図５に示すように表面材料９と樹脂製ベース部材１
０とはネジ１０Ａに裏面側から連結固定され、その図５において、符号１０Ｂは端辺部１
１に沿って適宜間隔を開けて形成された丸穴である。
【００１１】
本発明は、上記の事情に鑑みて為されたもので、その目的は、パネルを目地部で切断し
た場合に余ったパネルを再利用できると共に、樹脂製収まり調整部材の使用面積を極力少
なくすることができ、もって、美感の向上に寄与できると共に廃材の量削減に貢献するこ
とのできる床部材、連結部材及び敷設構造を提供することにある。
【課題を解決するための手段】
【００１２】
請求項１に記載の床部材は、目地部を境界として区切られた二以上のパターンを有する
パネルからなり該パネルが連結部材を介して連結されることにより構成される床部材であ
って、前記パネルを構成する方形状の射出成形樹脂製部材の端辺部又は前記パネルを構成
しかつ表面に材質が異なる表面材料を有する方形状の射出成形樹脂製ベース部材の端辺部
に沿って所定間隔を開けて脚部が形成され、前記連結部材には前記脚部に嵌合する嵌合筒
が形成され、前記目地部にはこの目地部に沿って前記連結部材に嵌合可能でかつその形状
及び配置間隔が前記パネルの端辺部に設けられた脚部の形状及び配置と略同一である脚部
が形成されていることを特徴とする。
【００１３】
請求項２に記載の床部材は、前記射出成形樹脂製部材又は射出成形樹脂製ベース部材に
は前記脚部が形成された端辺部と異なる端辺部に沿って前記脚部と嵌合可能な嵌合筒が形
成されていることを特徴とする。
【００１４】
請求項３に記載の連結部材は、目地部を境界として区切られた二以上のパターンを有す
るパネルを連結することにより構成される床部材であって、前記パネルを構成する方形状
の射出成形樹脂製部材の端辺部又は前記パネルを構成しかつ表面に材質が異なる表面材料
を有する方形状の射出成形樹脂製ベース部材の端辺部に沿って所定間隔を開けて脚部が形
成され、しかも前記目地部には前記連結部材に嵌合可能でその形状及び配置間隔が前記パ
ネルの端辺部に沿って設けられた脚部の形状及び配置と略同一である床部材に使用される
連結部材であって、前記脚部に嵌合する嵌合筒を有し、該嵌合筒はその穴が前記パネルが
隣り合う方向に遊びを有する大きさとされていることを特徴とする。
【００１５】
請求項４に記載の連結部材は、前記パネルを構成する樹脂材料の弾性率よりも高い弾性
率を有する材料から構成されていることを特徴とする。
【００１６】
請求項５に記載の床部材の敷設構造は、請求項３に記載の射出成形樹脂製ベース部材と
は異なる材質を表面部材として用いた樹脂製調整部材のパターンの一部を切り欠き、切り
欠かれた樹脂製調整部材を請求項３に記載の連結部材を用いて前記射出成形樹脂製ベース
部材に連結可能としたことを特徴とする。
【発明の効果】
【００１７】
請求項１、請求項２に記載の発明によれば、あるパネルを目地部で切断した場合に連結
部材を用いて他のパネルと連結して使用できるという効果を奏する。
【００１８】
また、樹脂製収まり調整部材の使用面積の削減が可能となる。
【００１９】
更に、パネルを目地部以外の部分で切断した場合でも、その切断されたパネルを目地部
に沿って切断すれば、その切断されたパネルを再利用できるので、廃材の量を減らすこと
ができる。
【００２０】
特に、請求項２に記載の発明によれば、パネルの一の端辺部に脚部が形成され、そのパ
ネルの他の端辺部にこの脚部と嵌合可能な嵌合筒が形成されているので、パネル同士の連
結を連結部材を用いることなく行うことができるため、迅速な施工処理を行うことができ
る。
【００２１】
請求項３に記載の発明によれば、連結部材の嵌合筒の穴がパネルが隣り合う方向に遊び
を有しているので、パネルの熱膨張・熱収縮に対応可能であり、連結部材とパネルとの嵌
合をスムーズに行わせることができる。
【００２２】
請求項４に記載の発明によれば、連結部材とパネルの脚部との嵌合力を大きくすること
ができる。
【００２３】
請求項５に記載の発明によれば、あるパネルを目地部で切断した場合に連結部材を用い
て他のパネルと連結して使用できるので、樹脂製収まり調整部材の使用面積の削減が可能
となり、全体としての見栄えの向上を図ることができる。
【発明を実施するための最良の形態】
【００２４】
以下に、本発明に係わる発明の実施の形態を図面を参照しつつ説明する。
【実施例】
【００２５】
図６（ａ）〜図６（ｃ）は本発明に係わる床部材の一実施例を示す説明図であって、こ
の図６（ａ）〜図６（ｃ）において、２０は方形状のパネルである。このパネル２０はそ
の裏面側に格子形状の射出成形樹脂製部材２１が設けられ、パネル２０の表面側に射出成
形樹脂製部材２１と材質が同一の表面樹脂材料２２が図６（ｃ）に示すように一体に形成
されている。この射出成形樹脂製部材２１には静電気を放電するためのカーボ線２１Ａが
配設されている。なお、符号２１Ｂはそのカーボン線２１Ａを支持するために支持突起で
ある。
【００２６】
このパネル２０は目地部２３を境界として区切られた二以上のパターンを有する。ここ
では、そのパターンは４分割パターンであるが、２分割パターンであっても良いし、９分
割パターンであっても良いし、正方形状ではなく、長方形状のパターンであっても良い。
【００２７】
そのパネル２０の端辺部２５、２５’には一定間隔を開けて脚部２６が形成されている
。そのパネル２０の端辺部２５、２５’とは異なる端辺部２７、２７’には、他のパネル
２０の端辺部２５、２５’に形成された脚部２６と嵌合する嵌合筒２８が脚部２６の間隔
に合わせて形成されている。
【００２８】
目地部２３には、この目地部２３に沿って脚部２９が形成されており、この脚部２９は
嵌合筒２８又は後述する連結部材に嵌合可能でかつその形状及び配置間隔がパネル２０の
端辺部２５、２５’に設けられた脚部２６の形状及び配置と略同一とされている。
【００２９】
その脚部２６、２９の形状は図７（Ａ）に拡大して示すように円柱形であっても良いが
、四角柱形又は図７（Ｂ）に拡大して示すように平面部３０を有する小判形状とするのが
、図９に拡大して示す連結部材３１を用いて連結する際の摩擦力を高めるうえで望ましい
。
【００３０】
図８はパネル２０の他の例を示す裏面図であって、ここでは、射出成形樹脂製部材２１
と表面樹脂材料２２とは別体で形成され、射出成形樹脂製部材２１と表面樹脂材料２２と
は異なる樹脂材料で構成され、表面樹脂材料２２には例えばセラミック等が用いられてい
る。その射出成形樹脂製部材（特許請求の範囲の記載において射出成形樹脂製ベース部材
という）２１と表面樹脂材料２２とは接着部２２Ａを接着剤を用いて接着されている。
【００３１】
パネル２０としては図６（ａ）〜図６（ｃ）に示す形状のもの、図８に示す形状のもの
のいずれをも用いることができ、また、図６（ａ）〜図６（ｃ）に示すパネル２０と図８
に示すパネル２０とを適宜組み合わせて使用することもできる。
【００３２】
連結部材３１は嵌合筒３２を有し、３３はその嵌合筒３２の穴部である。この穴部３３
も図７（Ｂ）に示す平面部３０を有する脚部２６、２９に対応するようにその一部に平面
部３４を持たせる構成とするのが望ましい。
【００３３】
この場合に、図１０に示すように、連結部材３１の嵌合筒３２はその穴部３３がパネル
２０、２０が隣り合う方向に遊び３５を有する大きさとするのが望ましい。このような遊
び３５を持たせることにより、連結されるパネル２０、２０同士の端辺部２５、２５同士
、目地部２３と端辺部２５（２５’）に隙間が開くのを防止でき、パネル２０を連結して
構成される床部材の美感の向上を図ることができる。
【００３４】
その連結部材３１には、ここでは、図９、図１０に示す二連式一組の枠型形状の構成の
ものを示しているが、これに限られるものではなく、図１１（Ａ）に示すように、嵌合穴
３４を二組有する嵌合筒３２を有するもの、この図１１（Ａ）に示す二組の穴部３４を有
する嵌合筒３２を連結バー３６で連結した構成のものを用いても良い。
【００３５】
このように目地部２３に沿って脚部２９を設けたパネル２０を用いて床部材を構成する
ることにすれば、例えば、図６又は図８に示すパネル２０を連結して結合した床部材（図
１２参照）をこの図１２に示すように切断線Ｓに沿って切断した場合、従来は、図１３（
Ａ）に符号Ｐ１で示す切断パネル部分を廃棄することになっていたが、本発明によれば、
切断パネル部分Ｐ１を目地部２３に沿って切断線Ｓ’に沿って切断することにより、図１
３（Ｂ）に示すように、その切断パネル部分Ｐ１の大部分Ｐ２を再使用することができ、
残余のパネル部分Ｐ３のみが廃棄されることになるので、廃材の量の低減を図ることがで
きる。
【００３６】
また、図１４に示すように、図８に示すパネル２０とは異なる図６に示すパネル２０と
を用い、図８に示す４分割パターンの一部を目地部２３に沿って切断し、図６に示すパネ
ル２０の４分割パターンの一部を目地部２３に沿って切り出すと共に、その切り出した４
分割パターンの一部を斜めに切り欠いて樹脂製収まり調整部材３７とし、この樹脂製収ま
り調整部材３７を連結部材３１を用いて図８に示す射出成形樹脂製部材２１に連結すれば
、樹脂製収まり調整部材３７の敷設面積を小さくすることができ、美感の向上に貢献でき
る。
（変形例）
図６、図８に示すパネル２０には、端辺部２５、２５’に形成された脚部２６の先端に
嵌合筒３２と係合する係合突起を設けておいても良い。このように構成すると、パネル２
０同士を連結して運搬するとき、パネル２０同士の連結の外れ防止の確実化を図ることが
できる。
【００３７】
また、連結部材３１の穴部３３間のピッチＰＸ（図１１（Ａ）参照）はパネル２０同士
を連結部材３１を用いて連結したときにパネル２０間の間隔が目地部２３の溝幅に相当す
る間隔となるように設計することが望ましい。
【００３８】
連結部材３１の材料は、樹脂製、金属製のいずれであっても良いが、パネル２０を構成
する樹脂の弾性率よりも弾性率の高い材料を用いると、脚部２６、２９に嵌合筒３２を嵌
合させたときに脚部２６、２９が変形するので、バネ作用が生じ、嵌合筒３２と脚部２６
、２９との嵌合力が向上する。なお、この場合には、脚部２６、２９の遊び方向と直交す
る方向の寸法を穴部３３の穴径よりも若干大きな寸法とする必要がある。
【００３９】
更に、連結部材３１、パネル２０の寸法は、パネル２０を連結して敷設したとき、フラ
ットとなるように設計されているものである。
【図面の簡単な説明】
【００４０】
【図１】従来の床部材の連結構造の一例を示す図である。
【図２】図１の矢印Ｘ−Ｘ線に沿う断面図である。
【図３】図１に示す床部材の連結構造の他の不具合を説明するための断面図である。
【図４】従来の床部材の連結構造に用いるパネルの平面図である。
【図５】図４に示すパネルの裏面図である。
【図６ａ】本発明に係わるパネルの一例を示す説明図であって、その全体形状を示す斜視図である。
【図６ｂ】本発明に係わるパネルの一例を示す説明図であって、その正面図である。
【図６ｃ】本発明に係わるパネルの一例を示す説明図であって、その裏面図である。
【図７】射出成形樹脂製部材に形成された脚部の形状を説明するための図であって、（Ａ）は脚部の形状を円形状とした場合を示し、（Ｂ）は脚部の形状を小判形状とした状態を示す図である。
【図８】本発明に係わるパネルの他の例を示す裏面図である。
【図９】本発明に係わる連結部材の一実施例を示す斜視図である。
【図１０】図６に示すパネルと図８に示すパネルとを連結部材で連結した状態を示す部分拡大図である。
【図１１】本発明に係わる連結部材の他の例を示し、（Ａ）は２個の嵌合穴を有する連結部材のみの平面図であり、（Ｂ）は（Ａ）に示す２個の嵌合穴を有する連結部材を連結して構成した連結部材の平面図である。
【図１２】図６に示すパネルを連結して床部材を形成し、その床部材の一部を敷設スペースに合わせるために、切断線によって切断する例を示す図である。
【図１３】パネルの廃材の低減を図ることができる理由を説明するための説明図であって、（Ａ）は目地部以外の部分を沿って切断した場合は示し、（Ｂ）は（Ａ）に示す切断パネルを目地部に沿って切断した状態を示す図である。
【図１４】図６に示すパネルと図８に示すパネルとの連結状態を示す平面図である。
【符号の説明】
【００４１】
２０…パネル
２３…目地部
３１…連結部材
２５’…端辺部
２６、２９…脚部
３２…嵌合筒
【図１】
2006028752.tif 000003
【図２】
2006028752.tif 000004
【図３】
2006028752.tif 000005
【図４】
2006028752.tif 000006
【図５】
2006028752.tif 000007
【図６ａ】
2006028752.tif 000008
【図６ｂ】
2006028752.tif 000009
【図６ｃ】
2006028752.tif 000010
【図７】
2006028752.tif 000011
【図８】
2006028752.tif 000012
【図９】
2006028752.tif 000013
【図１０】
2006028752.tif 000014
【図１１】
2006028752.tif 000015
【図１２】
2006028752.tif 000016
【図１３】
2006028752.tif 000017
【図１４】
2006028752.tif 000018